(57)【特許請求の範囲】
【請求項１】
天井の吊ボルト（３）に固定される第１アングル部材（１０）と、
前記第１アングル部材（１０）に連結され、室内機（４）が固定される第２アングル部材（２０）と、
前記第１アングル部材（１０）に取り付けられ、前記第１アングル部材（１０）を前記吊ボルト（３）に固定するための吊り具（５０）と、を備え、
前記吊り具（５０）は、
前記第１アングル部材（１０）の外周全体を取り囲むように閉じた形状を有し、前記第１アングル部材（１０）の長手方向に沿ってスライド可能なアングル固定部（５１）と、
前記アングル固定部（５１）と一体に形成され、前記吊ボルト（３）を固定可能な形状に形成されたボルト固定部（５２）と、を含み、
前記第１アングル部材（１０）の外面の一部は、前記外面と前記アングル固定部（５１）の内面との間に隙間が形成されるように、前記内面に向かって突出している、天吊り用部材（１）。
【請求項２】
前記アングル固定部（５１）は、
前記第１アングル部材（１０）の上面（１１）に対向する上側固定部（５３）と、
前記第１アングル部材（１０）の側面（１３）に対向する側方固定部（５５）と、を含み、
前記ボルト固定部（５２）は、
前記上側固定部（５３）と前記側方固定部（５５）との接続部から水平に延設され、
前記吊ボルト（３）に取り付けられた第１及び第２締付部材（７１，８１）によって挟持されることにより、前記吊ボルト（３）に締結されるように構成されている、請求項１に記載の天吊り用部材（１）。
【請求項３】
前記アングル固定部（５１）は、
前記第１アングル部材（１０）の上面（１１）に対向する上側固定部（５３）と、
前記第１アングル部材（１０）の下面（１２）に対向する下側固定部（５４）と、
前記第１アングル部材（１０）の側面（１３）に対向し、前記上側固定部（５３）と前記下側固定部（５４）とを接続する側方固定部（５５）と、を含み、
前記ボルト固定部（５２）は、
前記上側固定部（５３）と前記下側固定部（５４）との間の高さ位置において前記側方固定部（５５）から水平に延設され、
前記吊ボルト（３）に取り付けられた第１及び第２締付部材（７１，８１）によって挟持されることにより、前記吊ボルト（３）に締結されるように構成されている、請求項１に記載の天吊り用部材（１）。
【請求項４】
前記ボルト固定部（５２）の基端側の下面（５２Ｄ）と前記側方固定部（５５）とを接続する厚肉部（８０）が設けられている、請求項２又は３に記載の天吊り用部材（１）。
【請求項５】
前記ボルト固定部（５２）には、上方に突き出た第１突出部（５２Ｇ）及び下方に突き出た第２突出部（５２Ｈ）の少なくともいずれか一方が設けられている、請求項２〜４の何れか１項に記載の天吊り用部材（１）。
【請求項６】
前記ボルト固定部（５２）の厚みは、前記アングル固定部（５１）の厚みよりも大きい、請求項１〜５の何れか１項に記載の天吊り用部材（１）。
【請求項７】
前記ボルト固定部（５２）には、前記吊ボルト（３）を挿入するための挿入孔（５２Ａ）が設けられており、
前記挿入孔（５２Ａ）には、前記吊ボルト（３）の直径（Ｄ）よりも大きな開口（Ｐ１）が形成されている、請求項１〜６の何れか１項に記載の天吊り用部材（１）。
【請求項８】
前記アングル固定部（５１）は、前記第１アングル部材（１０）の下面（１２）に対向する部位（５４）において、前記第１アングル部材（１０）に対する位置を固定するための位置固定部（５４Ｂ）が設けられている、請求項１〜７の何れか１項に記載の天吊り用部材（１）。
【請求項９】
前記吊り具（５０）は、前記第１アングル部材（１０）と前記第２アングル部材（２０）の連結部（１Ａ）よりも端部側において前記第１アングル部材（１０）に取り付けられている、請求項１〜８の何れか１項に記載の天吊り用部材（１）。
【発明の詳細な説明】
【技術分野】
【０００１】
本発明は、天吊り用部材に関する。
【背景技術】
【０００２】
従来、空調装置の室内機などを天井に吊り下げる際に使用される天吊り用部材が知られている。この天吊り用部材は、４本のアングル部材が四角形状の枠体に組み付けられた構造を有し、平行な２本のアングル部材に天井の吊ボルトがそれぞれ固定され、残りの２本のアングル部材に室内機が固定されるものである。このような天吊り用部材の例が下記特許文献１及び２に開示されている。
【０００３】
下記特許文献１には、４本の長方形状のアングル部材が固定金具によって井の字状に組み付けられた天吊り用部材であって、アングル部材に形成された孔に吊ボルトが挿入されるものが開示されている。下記特許文献２には、アングル部材を天井の吊ボルトに固定するための吊り具を備えた天吊り用部材において、当該吊り具においてアングル部材を支持するためのコの字状の掛け止め部を設けたものが開示されている。
【先行技術文献】
【特許文献】
【０００４】
【特許文献１】特開平５−１８０４６２号公報
【特許文献２】特開２００４−３０１１８７号公報
【発明の概要】
【発明が解決しようとする課題】
【０００５】
上記特許文献１では、アングル部材に形成された孔に吊ボルトが挿入され、当該アングル部材の上下面をナットで挟み込む構造となっている。この構造では、アングル部材において吊ボルトの固定部に応力が集中的に加わるため、部材の破損が起こり易いという問題がある。また吊ボルトの固定位置を変更する場合には、ナットを取り外した後に吊ボルトを別の孔に挿入し直す必要があり、作業性が悪い。また上記特許文献２では、コの字状の掛け止め部によりアングル部材を支持する構造となっており、アングル部材の下面に応力が集中し易いため、上記特許文献１と同様に部材の破損が起こり易いという問題がある。
【０００６】
本発明は、上記課題に鑑みてなされたものであり、その目的は、アングル部材に対する吊ボルトの固定位置を容易に調整することができ、かつアングル部材の破損を抑制することができる天吊り用部材を提供することである。
【課題を解決するための手段】
【０００７】
本発明の一局面に係る天吊り用部材（１）は、天井の吊ボルト（３）に固定される第１アングル部材（１０）と、前記第１アングル部材（１０）に連結され、室内機（４）が固定される第２アングル部材（２０）と、前記第１アングル部材（１０）に取り付けられ、前記第１アングル部材（１０）を前記吊ボルト（３）に固定するための吊り具（５０）と、を備えている。前記吊り具（５０）は、前記第１アングル部材（１０）の外周全体を取り囲むように閉じた形状を有し、前記第１アングル部材（１０）の長手方向に沿ってスライド可能なアングル固定部（５１）と、前記アングル固定部（５１）と一体に形成され、前記吊ボルト（３）を固定可能な形状に形成されたボルト固定部（５２）と、を含んでいる。前記第１アングル部材（１０）の外面の一部は、前記外面と前記アングル固定部（５１）の内面との間に隙間が形成されるように、前記内面に向かって突出している。
【０００８】
上記天吊り用部材（１）では、第１アングル部材（１０）の外周全体を取り囲んだ状態で吊り具（５０）を取り付けることができる。そのため、吊ボルト（３）を固定する際に第１アングル部材（１０）に加わる応力を第１アングル部材（１０）の外周全体で受けることができ、当該応力が局所的に集中することを抑制することができる。これにより、第１アングル部材（１０）の破損を抑制することができる。また吊り具（５０）は第１アングル部材（１０）の長手方向に沿ってスライド可能となっているため、吊り具（５０）をスライドさせることで第１アングル部材（１０）に対する吊ボルト（３）の固定位置を容易に調整することができる。
【０００９】
上記天吊り用部材（１）において、前記アングル固定部（５１）は、前記第１アングル部材（１０）の上面（１１）に対向する上側固定部（５３）と、前記第１アングル部材（１０）の側面（１３）に対向する側方固定部（５５）と、を含んでいてもよい。前記ボルト固定部（５２）は、前記上側固定部（５３）と前記側方固定部（５５）との接続部（Ｐ１）から水平に延設されていてもよい。前記ボルト固定部（５２）は、前記吊ボルト（３）に取り付けられた第１及び第２締付部材（７１，８１）によって挟持されることにより、前記吊ボルト（３）に締結されるように構成されていてもよい。前記ボルト固定部（５２）の基端側の下面（５２Ｄ）と前記側方固定部（５５）とを接続する厚肉部（８０）が設けられていてもよい。
【００１０】
また上記天吊り用部材（１）において、前記アングル固定部（５１）は、前記第１アングル部材（１０）の上面（１１）に対向する上側固定部（５３）と、前記第１アングル部材（１０）の下面（１２）に対向する下側固定部（５４）と、前記第１アングル部材（１０）の側面（１３）に対向し、前記上側固定部（５３）と前記下側固定部（５４）とを接続する側方固定部（５５）と、を含んでいてもよい。前記ボルト固定部（５２）は、前記上側固定部（５３）と前記下側固定部（５４）との間の高さ位置において前記側方固定部（５５）から水平に延設されていてもよい。前記ボルト固定部（５２）は、前記吊ボルト（３）に取り付けられた第１及び第２締付部材（７１，８１）によって挟持されることにより、前記吊ボルト（３）に締結されるように構成されていてもよい。前記ボルト固定部（５２）の基端側の下面（５２Ｄ）と前記側方固定部（５５）とを接続する厚肉部（８０）が設けられていてもよい。
【００１１】
これにより、吊ボルト（３）に締結された状態においてボルト固定部（５２）の基端部の下面（５２Ｄ）側に引っ張り応力が加わった場合でも、厚肉部（８０）によって補強することにより吊り具（５０）の破損を防ぐことができる。
【００１２】
上記天吊り用部材（１）において、前記ボルト固定部（５２）には、上方に突き出た第１突出部（５２Ｇ）及び下方に突き出た第２突出部（５２Ｈ）の少なくともいずれか一方が設けられていてもよい。
【００１３】
これにより、ボルト固定部（５２）が吊ボルト（３）に締結された状態において吊ボルト（３）の位置がずれた時でも、吊ボルト（３）に取り付けられた締付部材（７１，８１）を第１及び第２突出部（５２Ｇ，５２Ｈ）に当接させることができ、吊ボルト（３）がボルト固定部（５２）から外れるのを防止することができる。
【００１４】
上記天吊り用部材（１）において、前記ボルト固定部（５２）の厚みは、前記アングル固定部（５１）の厚みよりも大きくなっていてもよい。
【００１５】
ボルト固定部（５２）は、アングル固定部（５１）よりも吊ボルト（３）に締結した時に加わる負荷が大きい。このため、ボルト固定部（５２）をアングル固定部（５１）よりも厚く形成することにより、吊り具（５０）の破損をより確実に防止することができる。
【００１６】
上記天吊り用部材（１）において、前記ボルト固定部（５２）には、前記吊ボルト（３）を挿入するための挿入孔（５２Ａ）が設けられていてもよい。前記挿入孔（５２Ａ）には、前記吊ボルト（３）の直径（Ｄ）よりも大きな開口（Ｐ１）が形成されていてもよい。
【００１７】
これにより、開口（Ｐ１）を通じて吊ボルト（３）を挿入孔（５２Ａ）に挿入することができる。そのため、挿入孔（５２Ａ）の径よりも大きい締付部材（７１，８１）が吊ボルト（３）に取り付けられている場合でも、これを取り外すことなく吊ボルト（３）を挿入することができ、作業性がより向上する。
【００１８】
上記天吊り用部材（１）において、前記アングル固定部（５１）は、前記第１アングル部材（１０）の下面（１２）に対向する部位（５４）において、前記第１アングル部材（１０）に対する位置を固定するための位置固定部（５４Ｂ）が設けられていてもよい。
【００１９】
これにより、第１アングル部材（１０）が天井の吊ボルト（３）に固定された状態でも、第１アングル部材（１０）の下面（１２）側から吊り具（５０）の位置を調整することができる。
【００２０】
上記天吊り用部材（１）において、前記吊り具（５０）は、前記第１アングル部材（１０）と前記第２アングル部材（２０）の連結部（１Ａ）よりも端部側において前記第１アングル部材（１０）に取り付けられていてもよい。
【００２１】
これにより、吊り具（５０）が第１アングル部材（１０）において連結部（１Ａ）よりも内側に移動することを防止することができる。
【発明の効果】
【００２２】
本発明によれば、アングル部材に対する吊ボルトの固定位置を容易に調整することができ、かつアングル部材の破損を抑制することができる天吊り用部材を提供することができる。
【図面の簡単な説明】
【００２３】
【図１】本発明の実施形態１に係る天吊り用部材の構造を示す図である。
【図２】図１中の領域ＩＩの拡大図である。
【図３】上記天吊り用部材を構成する下側アングル部材を長手方向から見た図である。
【図４】図１中の領域ＩＶの拡大図である。
【図５】上記天吊り用部材を構成する上側アングル部材を長手方向から見た図である。
【図６】上記天吊り用部材を構成する吊り具を上方から見た図である。
【図７】上記天吊り用部材が折畳まれた状態を示す図である。
【図８】上記天吊り用部材の半開き状態を示す図である。
【図９】上記天吊り用部材が開かれた状態を示す図である。
【図１０】吊ボルトを吊り具の挿入孔に挿入する手順を説明するための図である。
【図１１】吊ボルトを吊り具の挿入孔に挿入する手順を説明するための図である。
【図１２】吊ボルトを吊り具の挿入孔に挿入する手順を説明するための図である。
【図１３】上記天吊り用部材が吊ボルトに固定された状態を示す図である。
【図１４】上記天吊り用部材に室内機が固定された状態を示す図である。
【図１５】本発明の実施形態２に係る天吊り用部材の構造を示す図である。
【図１６】本発明の実施形態３に係る天吊り用部材の構造を示す図である。
【図１７】図１６中の領域ＸＶＩＩ，ＸＶＩＩＩにおける上記天吊り用部材の固定前の状態を示す図である。
【図１８】図１６中の領域ＸＶＩＩ，ＸＶＩＩＩにおける上記天吊り用部材の固定後の状態を示す図である。
【図１９】上記天吊り用部材を構成する下側アングル部材を長手方向から見た図である。
【図２０】上記天吊り用部材を構成する上側アングル部材を長手方向から見た図である。
【発明を実施するための形態】
【００２４】
以下、図面に基づいて、本発明の実施形態につき詳細に説明する。
【００２５】
＜実施形態１＞
（天吊り用部材の構造）
まず、本発明の実施形態１に係る天吊り用部材１の構造について説明する。
【００２６】
図１に示すように、天吊り用部材１は、天井に吊り下げられた既設の空調装置の室内機を撤去して新しい室内機に交換する更新工事に使用されるものであって、４本の棒状のアングル部材１０，２０が四角形（長方形）の枠体状に連結されたものである。天吊り用部材１は、天井の吊ボルトに固定される２本の平行な下側アングル部材１０（第１アングル部材）と、室内機が固定される２本の平行な上側アングル部材２０（第２アングル部材）と、上側アングル部材２０と下側アングル部材１０とを連結する４本の連結ボルト３０及びナット４０と、４つの吊り具５０と、を有する。
【００２７】
上側及び下側アングル部材２０，１０は、上側アングル部材２０に向かって延びる連結ボルト３０とその先端部に取り付けられるナット４０とによって、上下に重なった状態で拘束される。また吊り具５０は、下側アングル部材１０の両端部にそれぞれ取り付けられ、下側アングル部材１０の外周を取り囲む四角形状を有するアングル固定部５１と、アングル固定部５１に付設され、天井の吊ボルトが固定されるボルト固定部５２と、を有する。
【００２８】
［下側アングル部材］
図２は、図１中の領域ＩＩにおける拡大図である。図３は、下側アングル部材１０を長手方向から見たときの様子を示している。下側アングル部材１０は、アルミニウムの押し出し成形によって形成された筒状の部材である。下側アングル部材１０は、長手方向から見て横長の矩形状からなるアングル本体部１７と、アングル本体部１７の四隅から水平方向に延設されたアングル補強部１６と、を有する。
【００２９】
アングル本体部１７は、上面１１を有する。上面１１は、水平に延びる一対の第１上面１１Ａと、当該第１上面１１Ａに接続されかつ下面１２側に凹むコの字状の第２上面１１Ｂと、を有する。第１上面１１Ａにおいて第２上面１１Ｂとの接続部よりも内側には、延設面１１ＡＡが設けられている。延設面１１ＡＡの間には隙間が形成されており、当該隙間には連結ボルト３０が挿入される。
【００３０】
図３に示すように、延設面１１ＡＡは、第１上面１１Ａよりも上方に突出することにより、アングル固定部５１の内面に当接している。また第１上面１１Ａにおいて延設面１１ＡＡと反対側の端部には上側リブ１１ＡＢが設けられ、上側リブ１１ＡＢは第１上面１１Ａよりも上方に突出することにより当該内面に当接している。これにより、図３に示すように、第１上面１１Ａとアングル固定部５１の内面との間に隙間が形成され、吊り具５０を下側アングル部材１０の長手方向に沿ってスライドさせる時の摩擦を低減させることができる。
【００３１】
上面１１には、下面１２側に凹むレール溝１５が設けられている。レール溝１５は、両端１５Ａ，１５Ｂが第２上面１１Ｂにより接続されており、当該第２上面１１Ｂにより中空部１４に対して仕切られている。このレール溝１５によって、上面１１上に配置される連結ボルト３０（上側アングル部材２０）を長手方向に沿ってスライドさせることができる。
【００３２】
アングル本体部１７は、下面１２を有する。下面１２は、水平に延びる一対の第１下面１２Ａと、当該第１下面１２Ａに接続されかつ上面１１側に凹むコの字状の第２下面１２Ｂと、を有する。第１下面１２Ａにおいて第２下面１２Ｂとの接続部よりも内側には、延設面１２ＡＡが設けられている。延設面１２ＡＡの間には隙間が形成されており、当該隙間には下側アングル部材１０と吊り具５０とを固定するための固定ボルト６０のネジ部が挿入される。
【００３３】
図３に示すように、延設面１２ＡＡは、第１下面１２Ａよりも下方に突出することにより、アングル固定部５１の内面に当接している。また第１下面１２Ａにおいて延設面１２ＡＡと反対側の端部には下側リブ１２ＡＢが設けられ、下側リブ１２ＡＢは第１下面１２Ａよりも下方に突出することにより当該内面に当接している。これにより、図３に示すように、第１下面１２Ａとアングル固定部５１の内面との間に隙間が形成され、吊り具５０を下側アングル部材１０の長手方向に沿ってスライドさせる時の摩擦を低減させることができる。
【００３４】
アングル本体部１７は、上下面１１，１２の両端を接続する一対の側面１３を有し、上面１１、下面１２及び側面１３により取り囲まれる中空部１４が形成された略四角柱状の部材である。アングル本体部１７の外周面（第１及び第２上面１１Ａ，１１Ｂ、第１及び第２下面１２Ａ，１２Ｂ、側面１３）は、その全体が孔や切れ目などが形成されていない連続した面となっている。
【００３５】
アングル補強部１６は、下側アングル部材１０の強度を向上させるため、アングル本体部１７の外面から外側に向かって延設された部位であり、アングル本体部１７と一体形成されている。アングル補強部１６は、下側アングル部材１０において長手方向の一端部から他端部に亘って形成されている。図３に示すように、アングル補強部１６は、アングル本体部１７の四隅に設けられた第１〜第４アングル補強部６１〜６４を有する。
【００３６】
第１アングル補強部６１は、上面１１と一方の側面１３との接続部から水平方向に延設されている。また図２に示すように、第１アングル補強部６１の長手方向の端部は切断されて下向きに折り曲げられており、この折り曲げられた部位が下側アングル部材１０の端部から吊り具５０が抜けるのを防止するための第１ストッパー部６１Ａとなっている。より具体的には、アングル固定部５１の内面に設けられた被係止部９１Ａが第１ストッパー部６１Ａと当接することにより、吊り具５０の抜けを防止できる。
【００３７】
また第２〜第４アングル補強部６２〜６４も、以下に説明するように第１アングル補強部６１と同様の構造を有する。第２アングル補強部６２は、上面１１と他方の側面１３との接続部から水平方向に延設されており、長手方向の両端部が切断されて下向きに折り曲げられることにより第１ストッパー部６２Ａを構成している。また第３アングル補強部６３は、第１アングル補強部６１に対して平行になるように、下面１２と一方の側面１３との接続部から水平方向に延設されている。そして、第３アングル補強部６３の長手方向の両端部が切断されて上向きに折り曲げられることにより第１ストッパー部６３Ａが構成されている。また第４アングル補強部６４は、第２アングル補強部６２に対して平行になるように、下面１２と他方の側面１３との接続部から水平方向に延設されている。そして、第４アングル補強部６４の長手方向の両端部が切断されて上向きに折り曲げられることにより第１ストッパー部６４Ａが構成されている。また第１ストッパー部６２Ａ〜６４Ａも、アングル固定部５１の内面に設けられた被係止部９２Ａ〜９４Ａに当接させることにより、吊り具５０の抜け防止機構として機能する。
【００３８】
［上側アングル部材］
図４は、図１中の領域ＩＶにおける拡大図である。図５は、上側アングル部材２０を長手方向から見たときの様子を示している。上側アングル部材２０は、下側アングル部材１０と同様にアルミニウムの押し出し成形により形成された筒状の部材であり、下側アングル部材１０よりも短くなっている。上側アングル部材２０は、長手方向から見て横長の矩形状からなるアングル本体部２７と、アングル本体部２７の四隅から水平方向に延設されたアングル補強部２５と、を有する。
【００３９】
アングル本体部２７は、上面２１と、下面２２と、これらを接続する一対の側面２３と、を有し、これらの面によって取り囲まれた中空部が形成された略四角柱状の部材である。上側アングル部材２０は、下面２２において下側アングル部材１０の上面１１に配置される。
【００４０】
アングル本体部２７の上下面２１，２２には、連結ボルト３０が挿入される孔２１Ａ，２２Ａが形成されている。図１に示すように、孔２１Ａ，２２Ａは上側アングル部材２０の長手方向に沿って形成されており、これにより連結ボルト３０が挿入された状態で下側アングル部材１０を長手方向に沿ってスライドさせることができる。また上側アングル部材２０には、上面２１と下面２２とを接続する一対の壁部２４が設けられている。
【００４１】
アングル補強部２５は、下側アングル部材１０の場合と同様に、上側アングル部材２０の強度を向上させるための部位であって、アングル本体部２７の四隅から水平方向に延設されている。アングル補強部２５は、アングル本体部２７と一体形成され、且つ長手方向の一端部から他端部に亘って形成されている。アングル補強部２５は、アングル本体部２７の四隅に設けられた第１〜第４アングル補強部７１〜７４を有する。
【００４２】
第１アングル補強部７１は、上面２１と一方の側面２３との接続部から水平方向に延設されている。第２アングル補強部７２は、上面２１と他方の側面２３との接続部から水平方向に（第１アングル補強部７１と逆方向に）延設されている。第３アングル補強部７３は、第１アングル補強部７１に対して平行になるように下面２２と一方の側面２３との接続部から水平方向に延設され、下側アングル部材１０の上面１１に配置されている。第４アングル補強部７４は、第２アングル補強部７２に対して平行になるように下面２２と他方の側面２３との接続部から水平方向に（第３アングル補強部７３と逆方向に）延設され、下側アングル部材１０の上面１１に配置されている。
【００４３】
［連結ボルト］
連結ボルト３０は、ナット４０と共に上側及び下側アングル部材２０，１０を上下方向に締め付けて連結する。図３及び図５に示すように、連結ボルト３０は、頭部３３が延設面１１ＡＡに当接すると共に上側アングル部材２０を上下に貫通し、先端部３１Ａが上面２１から突出するように配置されている。また連結ボルト３０は四角形状の根元部３２を有し、図５に示すように当該根元部３２が孔２２Ａに嵌まり込むことによって上側及び下側アングル部材２０，１０の回動が防止される。これにより、両アングル部材２０，１０の連結角度を固定することができる。
【００４４】
［ナット］
ナット４０は、上側アングル部材２０の上面２１から突出した連結ボルト３０の先端部３１Ａに取り付けられている。ナット４０は、例えば皿バネナットであり、内周面において連結ボルト３０と嵌合するネジ部が形成されている。ナット４０を連結ボルト３０に対して締め付けることにより、上側及び下側アングル部材２０，１０を重なり方向に拘束することができる。
【００４５】
［吊り具］
次に、上記天吊り用部材１の特徴部分である吊り具５０の構造について、図２及び図３を主に参照して説明する。吊り具５０は、下側アングル部材１０を天井の吊ボルト３に固定するための部材であって、アルミニウムの押し出し成形により形成されている。図１に示すように、吊り具５０は、下側アングル部材１０において連結部１Ａよりも端部側にそれぞれ１つずつ取り付けられており、長手方向にスライド可能となっている。吊り具５０は、下側アングル部材１０を覆う形状のアングル固定部５１と、当該アングル固定部５１と一体に形成され、吊ボルト３を固定可能な形状に形成されたボルト固定部５２と、を有する。またボルト固定部５２は、アングル固定部５１よりも厚みが大きくなるように形成されている。これにより、吊ボルト３に固定した時に特に大きな負荷が掛かるボルト固定部５２の強度を向上させることができる。
【００４６】
図３に示すように、アングル固定部５１は、下側アングル部材１０の外周全体を取り囲むように閉じた形状を有する。より具体的には、アングル固定部５１は、下側アングル部材１０の上面１１に対向する平板状の上側固定部５３と、下側アングル部材１０の下面１２に対向する平板状の下側固定部５４と、下側アングル部材１０の側面１３に対向し、上側固定部５３の端部と下側固定部５４の端部とを接続する側方固定部５５と、を有する。側方固定部５５は、上側固定部５３の一端と下側固定部５４の一端とを接続する第１側方固定部５５Ａと、上側固定部５３の他端と下側固定部５４の他端とを接続する第２側方固定部５５Ｂと、を含む。
【００４７】
アングル固定部５１は、上側、下側及び側方固定部５３〜５５が互いに接続されることにより、下側アングル部材１０の外周に沿ったロの字形状を構成しており、その内側領域において下側アングル部材１０が配置される空間を有する。またアングル固定部５１は、内面において延設面１１ＡＡ，１２ＡＡ及びリブ１１ＡＢ，１２ＡＢに接触すると共に第１上面１１Ａ及び第１下面１２Ａに対して隙間を空けた状態で長手方向に沿ってスライド可能となっている。このように、アングル固定部５１の内面と下側アングル部材１０の外面との間に隙間を形成することにより、アングル固定部５１をスライドさせる時の摩擦をより低減することができる。
【００４８】
下側固定部５４には、厚み方向に貫通する貫通孔５４Ｂが形成されており、図３に示すように当該貫通孔５４Ｂに固定ボルト６０のネジ部が挿入されている。固定ボルト６０は、その先端部が下側固定部５４の下面よりも下方に突出しており、当該先端部に固定ナット６５が取り付けられている。上述のようにアングル固定部５１をスライドさせて吊り具５０の位置を調整した後、固定ナット６５を固定ボルト６０に対して締め付けることにより、下側アングル部材１０に対してアングル固定部５１の位置を固定することができる。つまり、貫通孔５４Ｂは、下側アングル部材１０に対するアングル固定部５１の位置を固定するための位置固定部として機能する。
【００４９】
ボルト固定部５２は、上側固定部５３と第１側方固定部５５Ａとの接続部Ｐ１から水平に延設されている。ボルト固定部５２は、上面５２Ｃと、上面５２Ｃと反対側の下面５２Ｄと、を有し、図３に示すように吊ボルト３に取り付けられた第１ワッシャー７１（第１締付部材）が上面５２Ｃに接触すると共に第２ワッシャー８１が下面５２Ｄに接触する。ボルト固定部５２は、第１及び第２ワッシャー７１，８１によって上下面５２Ｃ，５２Ｄを挟持した状態で第１及び第２ナット７２，８２を締め込むことにより、吊ボルト３に締結されるように構成されている。
【００５０】
ボルト固定部５２の基端側の下面５２Ｄと第１側方固定部５５Ａにおける接続部Ｐ１側の外面とは、厚肉部８０（図中斜線部）により接続されている。つまり、ボルト固定部５２の基端部における下面５２Ｄ側の部位は、厚肉部８０によって補強されている。また図３に示すように、厚肉部８０は接続部Ｐ１に向かって凸の曲面状に設けられていてもよいし、接続部Ｐ１から離れる方向に膨出する曲面状に設けられていてもよい。これにより、ボルト固定部５２を吊ボルト３に締結することによってボルト固定部５２に対して上向きに力が加わり、当該基端部の下面５２Ｄ側において引っ張り応力が加わった場合でも、ボルト固定部５２がアングル固定部５１から破断することを防止できる。特に本実施形態では、吊り具５０が引っ張り応力に対する強度が弱いアルミニウムからなるため、厚肉部８０による補強対策が効果的である。
【００５１】
また図３に示すように、ボルト固定部５２は上側固定部５３から水平に延設されているため、ボルト固定部５２の下面５２Ｄと下側固定部５４の下面との間には空間が設けられる。このため、当該空間に吊ボルト３の先端部を位置させることができ、当該先端部が下側固定部５４よりも下方にはみ出ることを防止できる。つまり、当該空間を吊ボルト３の先端が収まるスペースとして利用することができる。
【００５２】
図６は、吊り具５０を上方から見たときの様子を示している。ボルト固定部５２には、吊ボルト３を挿入するための挿入孔５２Ａが形成されている。図６に示すように、挿入孔５２Ａは、吊り具５０の幅方向に長軸を有する長孔形状を有し、吊ボルト３の直径Ｄよりも長くなっている。これにより、吊ボルト３を挿入孔５２Ａに挿入した状態で吊り具５０を動かすことができる。
【００５３】
ボルト固定部５２は、上側固定部５３の幅方向両側の部位５３Ｅから延びる一対の延出部５２Ｆを有する。図６に示すように、一対の延出部５２Ｆは、挿入孔５２Ａの外周に沿って設けられている。一対の延出部５２Ｆの先端部同士の隙間は、挿入孔５２Ａの開口Ｐ１となっている。開口Ｐ１は、吊ボルト３を挿入できるようにするため、吊ボルト３の直径Ｄよりも大きくかつ第１及び第２ワッシャー７１，８１の外径よりも小さい幅Ｗ１を有する。
【００５４】
図２に示すように、ボルト固定部５２の延出端には、上方に突き出た第１突出部５２Ｇと、下方に突き出た第２突出部５２Ｈと、が設けられている。第１突出部５２Ｇは、第１ワッシャー７１の抜け止めを目的として設けられており、各延出部５２Ｆの先端から上方に向かって垂直に延びている。また第１突出部５２Ｇは、第１ワッシャー７１の厚みと同じ又はそれよりも大きい高さを有することが好ましい。これにより、ボルト固定部５２が締結された状態で吊ボルト３の位置がずれた時でも、第１ワッシャー７１の側面が第１突出部５２Ｇに当接することにより吊ボルト３の抜けを防止することができる。
【００５５】
第２突出部５２Ｈは、第２ワッシャー８１の抜け止めを目的として設けられており、各延出部５２Ｆの先端から下方に向かって垂直に延びている。第２突出部５２Ｈは、好ましくは第２ワッシャー８１の厚みと同じ又はそれよりも大きい高さを有する。これにより、吊ボルト３の位置がずれた時に第２ワッシャー８１の側面が第２突出部５２Ｈに当接することにより、第２突出部５２Ｈが第２ワッシャー８１の抜け止め部として機能する。なお、第１及び第２突出部５２Ｇ，５２Ｈの両方が設けられる場合に限定されず、いずれか一方のみが設けられてもよい。
【００５６】
（天吊り用部材の据付方法）
次に、上記天吊り用部材１の天井への据付方法について、図７〜図１４を主に参照して説明する。
【００５７】
はじめに、折畳まれた状態の天吊り用部材１を準備するステップが実施される。このステップでは、図７に示すように、折畳まれた状態の天吊り用部材１が梱包された箱２が準備され、当該箱２から天吊り用部材１が取り出される。そして、天吊り用部材１が折畳まれた状態のままで天井の開口を通して天井裏の据付場所に運ばれる。
【００５８】
図７に示すように、折畳み状態では、上側アングル部材２０と下側アングル部材１０とは互いに略平行であり、連結ボルト３０及びナット４０により仮止めされている。この仮止め状態では、上側アングル部材２０と下側アングル部材１０とを連結部を中心として互いに回動させることにより、連結角を調整することができる。
【００５９】
次に、天吊り用部材１を開くステップが実施される。このステップでは、上側アングル部材２０と下側アングル部材１０とを連結部１Ａを中心として互いに回動させる。これにより、図８に示すように半開きになった後、図９に示すように上側アングル部材２０と下側アングル部材１０とが互いに垂直な状態となる。そして、ナット４０を掴んで連結ボルト３０を上方に引き上げることにより、図５に示すように連結ボルト３０の根元部３２が上側アングル部材２０の下面２２に形成された孔２２Ａに挿入された状態となる。そして、ナット４０が一定量締め付けられる。これにより、上側アングル部材２０と下側アングル部材１０との連結角が略９０°に固定される。なお、この状態では上側アングル部材２０と下側アングル部材１０とは完全に固定されておらず、上側アングル部材２０をレール溝１５に沿ってスライドさせることができる。
【００６０】
次に、天吊り用部材１を天井の吊ボルト３に固定するステップが実施される。このステップでは、まず吊り具５０を下側アングル部材１０に沿ってスライドさせ、吊ボルト３のピッチと合うように位置調整する。そして、図３に示すように固定ナット６５を固定ボルト６０に対して締め付けることにより、下側アングル部材１０に対して吊り具５０の位置を固定する。
【００６１】
次に、４本の吊ボルト３（図１０）の各々に、第１及び第２ワッシャー７１，８１並びに第１及び第２ナット７２，８２を取り付ける。そして、各吊ボルト３において、第２ワッシャー８１の高さ位置が略同じとなるように第２ナット８２の位置を調整する。次に、下側アングル部材１０を持ち上げ、図１１に示すように開口Ｐ１を通して吊ボルト３を挿入孔５２Ａに側方から挿入する。そして、ボルト固定部５２の下面５２Ｄが第２ワッシャー８１と接触した状態で吊り具５０が第２ワッシャー８１の上に載置される。
【００６２】
このとき、第２ワッシャー８１の高さ位置が予め調整されているため、下側アングル部材１０は水平な状態で載置される。また吊ボルト３を挿入孔５２Ａに挿入する際、作業者は下方から見上げることによって第２ワッシャー８１とアングル固定部５１の側面との位置関係を視認することができる。このように第２ワッシャー８１とアングル固定部５１の側面との位置関係が視認可能になるのは、上述の通りボルト固定部５２がアングル固定部５１の上部から水平に延設されているためである。
【００６３】
そして、図１２に示すように、第１ワッシャー７１をボルト固定部５２の上面５２Ｃに接触させ、第１及び第２ナット７２，８２を締め込む。これにより、吊り具５０が第１及び第２ワッシャー７１，８１により挟持された状態で第１及び第２ナット７２，８２により締め付けられ、吊ボルト３への下側アングル部材１０の固定が完了する。
【００６４】
その後、図１３に示す天吊り状態において上側アングル部材２０をスライドさせ、室内機のピッチと合うように位置を調整する。そして、ナット４０を連結ボルト３０に対して締め込むことにより、上側アングル部材２０と下側アングル部材１０とが完全に固定される。
【００６５】
次に、室内機を固定するステップが実施される。このステップでは、図１４に示すように、室内機４の四隅に取り付けられたボルト５が上側アングル部材２０の上下面に形成された孔に挿入される。そして、ボルト５に取り付けられた２つのナットにより上側アングル部材２０が上下に締め付けられる。これにより、図１４に示すように、室内機４が上側アングル部材２０に固定される。以上のようなステップにより、上記天吊り用部材１が天井に据え付けられ、室内機４が設置される。
【００６６】
（作用効果）
次に、上記天吊り用部材１の特徴的な構成及び作用効果について説明する。
【００６７】
天吊り用部材１は、天井の吊ボルト３に固定される下側アングル部材１０と、下側アングル部材１０に連結され、室内機４が固定される上側アングル部材２０と、下側アングル部材１０に取り付けられ、下側アングル部材１０を吊ボルト３に固定するための吊り具５０と、を備えている。吊り具５０は、下側アングル部材１０の外周全体を取り囲むように閉じた形状を有し、下側アングル部材１０の長手方向に沿ってスライド可能なアングル固定部５１と、アングル固定部５１と一体に形成され、吊ボルト３を固定可能な形状に形成されたボルト固定部５２と、を含んでいる。
【００６８】
上記天吊り用部材１では、下側アングル部材１０の外周全体を取り囲んだ状態で吊り具５０を取り付けることができる。そのため、吊ボルト３を固定する際に下側アングル部材１０に加わる応力を下側アングル部材１０の外周全体で受けることができ、当該応力が局所的に集中することを抑制することができる。これにより、下側アングル部材１０の破損を抑制することができる。また吊り具５０は下側アングル部材１０の長手方向に沿ってスライド可能となっているため、吊り具５０をスライドさせることで下側アングル部材１０に対する吊ボルト３の固定位置を容易に調整することができる。
【００６９】
上記天吊り用部材１において、アングル固定部５１は、下側アングル部材１０の上面１１に対向する上側固定部５３と、下側アングル部材１０の側面１３に対向する側方固定部５５と、を含んでいる。ボルト固定部５２は、上側固定部５３と側方固定部５５との接続部Ｐ１から水平に延設されている。ボルト固定部５２は、吊ボルト３に取り付けられた第１及び第２ワッシャー７１，８１によって挟持することにより、吊ボルト３に締結されるように構成されている。ボルト固定部５２の基端側の下面５２Ｄと側方固定部５５とを接続する厚肉部８０が設けられている。
【００７０】
これにより、吊ボルト３に締結された状態においてボルト固定部５２の基端部の下面５２Ｄ側に引っ張り応力が加わった場合でも、厚肉部８０によって補強することにより吊り具５０の破損を防ぐことができる。
【００７１】
上記天吊り用部材１において、ボルト固定部５２には、上方に突き出た第１突出部５２Ｇ及び下方に突き出た第２突出部５２Ｈが設けられている。これにより、ボルト固定部５２が吊ボルト３に締結された状態において吊ボルト３の位置がずれた時でも、吊ボルト３に取り付けられた第１及び第２ワッシャー７１，８１を第１及び第２突出部５２Ｇ，５２Ｈに当接させることができ、吊ボルト３がボルト固定部５２から外れるのを防止することができる。
【００７２】
上記天吊り用部材１において、ボルト固定部５２の厚みは、アングル固定部５１の厚みよりも大きくなっている。ボルト固定部５２は、アングル固定部５１よりも吊ボルト３に締結した時に加わる負荷が大きい。このため、ボルト固定部５２をアングル固定部５１よりも厚く形成することにより、吊り具５０の破損をより確実に防止することができる。
【００７３】
上記天吊り用部材１において、ボルト固定部５２には、吊ボルト３を挿入するための挿入孔５２Ａが設けられている。挿入孔５２Ａには、吊ボルト３の直径Ｄよりも大きな開口Ｐ１が形成されている。これにより、開口Ｐ１を通じて吊ボルト３を挿入孔５２Ａに挿入することができる。そのため、挿入孔５２Ａの径よりも大きい第１及び第２ワッシャー７１，８１が吊ボルト３に取り付けられている場合でも、これを取り外すことなく吊ボルト３を挿入することができ、作業性がより向上する。
【００７４】
上記天吊り用部材１において、アングル固定部５１は、下側アングル部材１０の下面１２に対向する部位５４において、下側アングル部材１０に対する位置を固定するための位置固定部５４Ｂが設けられている。これにより、下側アングル部材１０が天井の吊ボルト３に固定された状態でも、下側アングル部材１０の下面１２側から吊り具５０の位置を調整することができる。
【００７５】
上記天吊り用部材１において、吊り具５０は、下側アングル部材１０と上側アングル部材２０の連結部１Ａよりも端部側において下側アングル部材１０に取り付けられている。これにより、吊り具５０が下側アングル部材１０において連結部１Ａよりも内側に移動することを防止することができる。
【００７６】
＜実施形態２＞
次に、本発明の実施形態２に係る天吊り用部材１Ａについて、図１５を参照して説明する。なお、実施形態２では上記実施形態１と異なる部分についてのみ説明する。
【００７７】
図１５は、天吊り用部材１Ａにおいて下側アングル部材１０を長手方向から見た様子を示している。図１５に示すように、ボルト固定部５２は、上側固定部５３と下側固定部５４の間の高さ位置において第１側方固定部５５Ａから水平に延設されている。より具体的には、ボルト固定部５２は、上側固定部５３と下側固定部５４との間の中間の高さ位置から水平に延設されている。なお、ボルト固定部５２は、中間の高さ位置から延設される場合に限定されず、上側固定部５３寄りの位置から延設されてもよいし、下側固定部５４寄りの位置から延設されてもよい。
【００７８】
このように、ボルト固定部５２を上側固定部５３と下側固定部５４の間の高さ位置から延設した場合でも、上記実施形態１と同様にボルト固定部５２の基端部の下面５２Ｄ側に厚肉部８０を設けて補強することができ、吊り具５０の破損を防ぐことができる。またボルト固定部５２の下面５２Ｄと下側固定部５４の下面との間のスペースに吊ボルト３の先端部を位置させることができ、当該先端部が下側固定部５４よりも下方にはみ出ることを防止できる。またボルト固定部５２の挿入孔５２Ａに吊ボルト３を挿入する時には、第２ワッシャー８１とアングル固定部５１の側面との位置関係を視認することもできる。
【００７９】
＜実施形態３＞
次に、本発明の実施形態３に係る更新用天吊り部材１Ｂについて、図１６〜図２０を参照して説明する。図１６は、更新用天吊り部材１Ｂの全体構造を示している。図１７及び図１８は、図１６中の領域ＸＶＩＩ，ＸＶＩＩＩにおける拡大図である。図１９は、下側アングル部材１０を長手方向から見た様子を示している。図２０は、上側アングル部材２０を長手方向から見た様子を示している。なお、実施形態３では上記実施形態１と異なる部分についてのみ説明する。
【００８０】
図１７及び図１８に示すように、ボルト固定部５２は、アングル固定部５１の上部から水平に延設された第１延設部９５と、アングル固定部５１の下部から水平に延設された第２延設部９６と、を有する。また第１延設部９５の下面と第２延設部９６の上面とは、壁部９７によって互いに接続されている。
【００８１】
図１９に示すように、下側アングル部材１０は、長手方向から見て正方形状からなり、その四隅にアングル補強部が設けられていない。また延設面１１ＡＡは第１上面１１Ａに対して水平に延設されており、また第１上面１１Ａには上側リブが設けられていない。このため、第１上面１１Ａ及び延設面１１Ａがアングル固定部５１の内面に当接している。また同様に延設面１２ＡＡは第２上面１２Ａに対して水平に延設され、第２上面１２Ａには下側リブが設けられていない。また図２０に示すように、上側アングル部材２０は、長手方向から見て正方形状からなり、その四隅にアングル補強部が設けられていない。
【００８２】
上記構成を有する更新用天吊り部材１Ｂにおいても、アングル固定部５１により下側アングル部材１０の外周全体を取り囲むことにより、吊ボルト３を固定する際に下側アングル部材１０に加わる応力を下側アングル部材１０の外周全体で受けることができる。また吊り具５０を下側アングル部材１０の長手方向に沿ってスライドさせることにより、下側アングル部材１０に対する吊ボルト３の固定位置を容易に調整することができる。
【００８３】
（その他実施形態）
最後に、本発明に係る天吊り用部材のその他実施形態について説明する。
【００８４】
上記天吊り用部材１は、既設の室内機を取り外して新しい室内機に交換する際に用いられる場合に限定されず、室内機が設置されていない天井に新しく室内機を設置する場合にも用いることができる。
【００８５】
上記天吊り用部材１は、下側アングル部材１０に吊ボルト３が固定される場合に限定されず、上側アングル部材２０に吊ボルト３が固定されてもよい。また４本のアングル部材１０，２０を組み付けたものに限定されず、３本のアングル部材からなるものでもよいし、５本以上のアングル部材からなるものでもよい。
【００８６】
ボルト固定部５２は、下側固定部５４と第１側方固定部５５Ａとの接続部から水平に延設されていてもよい。またアングル固定部５１とボルト固定部５２は、同じ厚みで形成されていてもよい。
【００８７】
第１及び第２突出部５２Ｇ，５２Ｈは、ボルト固定部５２の上下面５２Ｃ，５２Ｄに対して垂直なものに限定されず、鋭角又は鈍角を成すものでもよい。またボルト固定部５２の延出端に形成される場合に限定されず、延出端よりも内側の部位に形成されてもよい。また第１及び第２突出部５２Ｇ，５２Ｈを省略してもよい。
【００８８】
挿入孔５２Ａは、開口Ｐ１が形成されていない閉じた孔であってもよい。
【００８９】
今回開示された実施形態は、全ての点で例示であって制限的なものではないと解されるべきである。本発明の範囲は、上記した説明ではなくて特許請求の範囲により示され、特許請求の範囲と均等の意味及び範囲内での全ての変更が含まれることが意図される。
【符号の説明】
【００９０】
１  天吊り用部材
３  吊ボルト
１０  下側アングル部材
１１  上面
１２  下面
２０  上側アングル部材
５０  吊り具
５１  アングル固定部
５２  ボルト固定部
５２Ａ  挿入孔
５２Ｇ  第１突出部
５２Ｈ  第２突出部
５３  上側固定部
５４  下側固定部
５４Ｂ  貫通孔（位置固定部）
５５  側方固定部
７１  第１ワッシャー（第１締付部材）
７２  第２ワッシャー（第２締付部材）
８０  厚肉部
Ｐ１  開口
【図１】
0006396348.tif 000002
【図２】
0006396348.tif 000003
【図３】
0006396348.tif 000004
【図４】
0006396348.tif 000005
【図５】
0006396348.tif 000006
【図６】
0006396348.tif 000007
【図７】
0006396348.tif 000008
【図８】
0006396348.tif 000009
【図９】
0006396348.tif 000010
【図１０】
0006396348.tif 000011
【図１１】
0006396348.tif 000012
【図１２】
0006396348.tif 000013
【図１３】
0006396348.tif 000014
【図１４】
0006396348.tif 000015
【図１５】
0006396348.tif 000016
【図１６】
0006396348.tif 000017
【図１７】
0006396348.tif 000018
【図１８】
0006396348.tif 000019
【図１９】
0006396348.tif 000020
【図２０】
0006396348.tif 000021